(57)【特許請求の範囲】
【請求項１】
複数の居室階層およびこの居室階層の高さよりも低い高さ寸法の収納階層を含む躯体部分を備え、前記居室階層から前記収納階層におよぶエレベータ用昇降路が設けられたエレベータ付き建物であって、
前記居室階層と前記収納階層とは積み重ねて設けられ、
前記エレベータ用昇降路には、前記複数の居室階層のうちいずれかの居室階層と前記収納階層との間、および、前記複数の居室階層のうち一の居室階層と他の居室階層との間を運搬かごが昇降自在に設けられ、この運搬かごは前記収納階層に面して停止しかつ運搬かごと収納階層との間で出入り可能となっており、
前記運搬かごの停止位置は、この運搬かごの床レベルと前記収納階層の床レベルとが一致する位置であり、
前記運搬かごには、前記居室階層用の出入り口が設けられるとともに、この出入り口には上下に分割された扉が設けられ、この扉は前記収納階層では下側が開く
ことを特徴とするエレベータ付き建物。
【請求項２】
複数の居室階層およびこの居室階層の高さよりも低い高さ寸法の収納階層を含む躯体部分を備え、前記居室階層から前記収納階層におよぶエレベータ用昇降路が設けられたエレベータ付き建物であって、
前記居室階層と前記収納階層とは積み重ねて設けられ、
前記エレベータ用昇降路には、前記複数の居室階層のうちいずれかの居室階層と前記収納階層との間、および、前記複数の居室階層のうち一の居室階層と他の居室階層との間を運搬かごが昇降自在に設けられ、この運搬かごは前記収納階層に面して停止しかつ運搬かごと収納階層との間で出入り可能となっており、
前記運搬かごの停止位置は、この運搬かごの床レベルが前記収納階層の床レベルより下方かつ天井レベルが収納階層の床レベルより上方の位置であり、
前記運搬かごには、前記居室階層用の出入り口が設けられるとともに、この出入り口には上下に分割された扉が設けられ、この扉は前記収納階層では上側が開く
ことを特徴とするエレベータ付き建物。
【請求項３】
複数の居室階層およびこの居室階層の高さよりも低い高さ寸法の収納階層を含む躯体部分を備え、前記居室階層から前記収納階層におよぶエレベータ用昇降路が設けられたエレベータ付き建物であって、
前記居室階層と前記収納階層とは積み重ねて設けられ、
前記エレベータ用昇降路には、前記複数の居室階層のうちいずれかの居室階層と前記収納階層との間、および、前記複数の居室階層のうち一の居室階層と他の居室階層との間を運搬かごが昇降自在に設けられ、この運搬かごは前記収納階層に面して停止しかつ運搬かごと収納階層との間で出入り可能となっており、
前記運搬かごの停止位置は、この運搬かごの床レベルと前記収納階層の床レベルとが一致する位置と、運搬かごの床レベルが前記収納階層の床レベルより下方かつ天井レベルが収納階層の床レベルより上方の位置とのいずれかを選択可能であり、
前記運搬かごには、前記居室階層用の出入り口が設けられるとともに、この出入り口には上下に分割された扉が設けられ、この扉は前記収納階層では前記運搬かごの停止位置に応じて上下いずれかが開く
ことを特徴とするエレベータ付き建物。
【発明の詳細な説明】
【０００１】
【発明の属する技術分野】
本発明は、建物の内部にエレベータを設けたエレベータ付き建物に関する。
【０００２】
【背景技術】
住宅等の建物においては、生活様式の多様化等にともない、居住スペースとともに収納スペースをいかに有効に確保するかが重要な課題となっている。
従来、収納スペースとしては、押入や床下収納庫等が一般的であるが、これらだけでは充分な収納スペースを確保できないことから、デッドスペースの有効活用を目的として、屋根の内部を利用して屋根裏部屋を形成し、この屋根裏部屋を収納スペースとして利用することも普及してきている。
また、通常の居住階の高さ寸法よりも高さの低い中間階層を形成し、この中間階層を収納スペースとすることも行われ、この場合、中間階層を一般的な建物ユニットの高さより低い高さ寸法に形成した収納ユニット等を使用して専用階層構造とすることも行われている。
【０００３】
一方、２階建て以上の一般住宅において、階段を上る労を省いたり、荷物の上下階への運搬作業を軽減したりするために、小規模エレベータが普及してきている。そして、このエレベータは、各居住階ごとに停止するものであった。
【０００４】
【発明が解決しようとする課題】
ところで、収納階層を収納スペースとして利用する場合、エレベータを設置したとしても、エレベータは居室階層のみ停止するので、収納階層に荷物を収納するためには、居室階層で止まったエレベータから荷物を持ち出すとともに、居室階層から収納階層まで運ばなくてはならない。また、収納階層から荷物を取り出す際も同様のことがいえ、収納作業が困難であるという問題があった。
【０００５】
本発明の目的は、居住面積を狭めることなく充分な収納スペースを確保でき、かつ、その収納スペースへの荷物の運搬を容易に行えるエレベータ付き建物を提供することにある。
【０００６】
【課題を解決するための手段】
本発明の第１発明のエレベータ付き建物は、図面を参照して説明すると、図１、２に示すように、複数の居室階層Ａおよびこの居室階層Ａの高さよりも低い高さ寸法の収納階層Ｃを含む躯体部分８を備え、居室階層Ａから収納階層Ｃにおよぶエレベータ用昇降路２０が設けられたエレベータ付き建物であって、居室階層Ａと収納階層Ｃとは積み重ねて設けられ、エレベータ用昇降路２０には、複数の居室階層Ａのうちいずれかの居室階層Ａと収納階層Ｃとの間、および、複数の居室階層Ａのうち一の居室階層Ａと他の居室階層Ａとの間を運搬かご２１が昇降自在に設けられ、この運搬かご２１は収納階層Ｃに面して停止しかつ運搬かご２１と収納階層Ｃとの間で出入り可能となっており、運搬かご２１の停止位置は、この運搬かご２１の床レベル２１Ａと収納階層Ｃの床レベル３Ａとが一致する位置であり、運搬かご２１には、居室階層Ａ用の出入り口を設けるとともに、この出入り口に上下に分割された扉２５、２６が設けられ、この扉２５、２６は収納階層Ｃでは下側が開くことを特徴とするものである。
【０００７】
このような本発明では、躯体部分８が居室階層Ａと収納階層Ｃとを含んで構成されているので、この収納階層Ｃを収納スペースとすることができ、これにより、居住面積を狭めることなく充分な収納スペースを確保できる。また、エレベータの運搬かご２１と収納階層Ｃとが出入り可能なので、収納スペースとなる収納階層Ｃへの荷物の収納を容易に行えるようになる。
また、運搬かご２１は、その床レベル２１Ａと収納階層Ｃの床レベル３Ａとが一致する位置で停止するので、運搬かご２１の床と収納階層Ｃの床との間で収納物の水平移動ができる。これにより、収納作業が容易となり、特に、かなりの重量物でも押し込んで収納できる。
さらに、運搬かご２１が収納階層Ｃで停止した際に、収納階層Ｃの床レベル３Ａに対応して下側の扉２６が開くので、収納作業が容易となる。
【０００８】
本発明の第２発明のエレベータ付き建物は、図面を参照して説明すると、図１、２に示すように、複数の居室階層Ａおよびこの居室階層Ａの高さよりも低い高さ寸法の収納階層Ｃを含む躯体部分８を備え、居室階層Ａから収納階層Ｃにおよぶエレベータ用昇降路２０が設けられたエレベータ付き建物であって、居室階層Ａと収納階層Ｃとは積み重ねて設けられ、エレベータ用昇降路２０には、複数の居室階層Ａのうちいずれかの居室階層Ａと収納階層Ｃとの間、および、複数の居室階層Ａのうち一の居室階層Ａと他の居室階層Ａとの間を運搬かご２１が昇降自在に設けられ、この運搬かご２１は収納階層Ｃに面して停止しかつ運搬かご２１と収納階層Ｃとの間で出入り可能となっており、運搬かご２１の停止位置は、この運搬かご２１の床レベル２１Ａが収納階層Ｃの床レベル３Ａより下方かつ天井レベルが収納階層Ｃの床レベル３Ａより上方の位置であり、運搬かご２１には、居室階層Ａ用の出入り口を設けるとともに、この出入り口に上下に分割された扉２５、２６が設けられ、この扉２５、２６は収納階層Ｃでは上側が開くことを特徴とするものである。
【０００９】
このような本発明では、躯体部分８が居室階層Ａと収納階層Ｃとを含んで構成されているので、この収納階層Ｃを収納スペースとすることができ、これにより、居住面積を狭めることなく充分な収納スペースを確保できる。また、エレベータの運搬かご２１と収納階層Ｃとが出入り可能なので、収納スペースとなる収納階層Ｃへの荷物の収納を容易に行えるようになる。
また、運搬かご２１はその床レベル２１Ａが収納階層Ｃの床レベル３Ａよりも下方で停止するので、上側の扉２５から収納物を収納階層Ｃに収納できる。このため、例えば、１階から運搬かご２１をわずかに移動させるだけで収納作業を行えるようになり、特に軽量物等を簡単に収納階層Ｃに収納できるようになる。
そして、運搬かご２１が収納階層Ｃで停止した際に、収納階層Ｃの床レベル３Ａに対応して上側の扉２６が開くので、収納作業が容易となる。
【００１０】
本発明の第３発明のエレベータ付き建物は、図面を参照して説明すると、図１、２に示すように、複数の居室階層Ａおよびこの居室階層Ａの高さよりも低い高さ寸法の収納階層Ｃを含む躯体部分８を備え、居室階層Ａから収納階層Ｃにおよぶエレベータ用昇降路２０が設けられたエレベータ付き建物であって、居室階層Ａと収納階層Ｃとは積み重ねて設けられ、エレベータ用昇降路２０には、複数の居室階層Ａのうちいずれかの居室階層Ａと収納階層Ｃとの間、および、複数の居室階層Ａのうち一の居室階層Ａと他の居室階層Ａとの間を運搬かご２１が昇降自在に設けられ、この運搬かご２１は収納階層Ｃに面して停止しかつ運搬かご２１と収納階層Ｃとの間で出入り可能となっており、運搬かご２１の停止位置は、この運搬かご２１の床レベル２１Ａと収納階層Ｃの床レベル３Ａとが一致する位置と、運搬かご２１の床レベル２１Ａが収納階層Ｃの床レベル３Ａより下方かつ天井レベルが収納階層Ｃの床レベル３Ａより上方の位置とのいずれかを選択可能であり、運搬かご２１には、居室階層Ａ用の出入り口が設けられるとともに、この出入り口には上下に分割された扉２５、２６が設けられ、この扉２５、２６は収納階層Ｃでは運搬かご２１の停止位置に応じて上下いずれかが開くことを特徴とするものである。
【００１１】
このような本発明では、躯体部分８が居室階層Ａと収納階層Ｃとを含んで構成されているので、この収納階層Ｃを収納スペースとすることができ、これにより、居住面積を狭めることなく充分な収納スペースを確保できる。また、エレベータの運搬かご２１と収納階層Ｃとが出入り可能なので、収納スペースとなる収納階層Ｃへの荷物の収納を容易に行えるようになる。
また、運搬かご２１の停止位置は収納階層Ｃの床レベル３Ａに対して二種類選択できるので、収納物の大きさや重量に応じて停止させることができ、これにより、効率の良い収納作業を行うことができる。
そして、運搬かご２１は上下に分割された扉２５、２６を備えているので、運搬かご２１が収納階層Ｃのいずれのレベルで停止しても、そのレベルに対応して上下いずれかの扉２５、２６が開くので、開いた方の扉を利用でき、これにより、収納作業が容易となる。
【００１２】
以上において、躯体部分とは、屋根部を除く建物部をいい、この場合、建物は、複数の建物ユニットを組み合わせた建物、パネル工法による建物ユニットを組み合わせた建物、あるいは、在来工法により建てられた建物等どのような建物でもよい。また、運搬かごは、一人、二人が乗れる程度の大きさのものを使用することが好ましく、さらに、この運搬かごの駆動方式は、油圧式、ロープ式のいずれのものでもよい。
また、収納階層の高さは、居室とするには不十分な高さであり、一方、収納スペースを確保できればよく、例えば、通常の柱、梁を備えた箱型の建物ユニットよりも高さ寸法を低く形成した収納ユニットで収納階層を形成することが好ましい。
【００１９】
【発明の実施の形態】
以下に、本発明の一実施形態を図面に基づいて説明する。
図１に示すように、本実施形態のエレベータ付き建物はユニット式建物１となっており、このユニット式建物１は、それぞれが居室階層Ａを形成する複数の１階建物ユニット２と、この１階建物ユニット２の上に載せられ、収納階層Ｃを形成する例えば収納用の蔵ユニット３と、この蔵ユニット３の上に載せられた２階建物ユニット４とを備えて構成され、この２階建物ユニット４の上には、図示しない束等で支持された屋根パネル５が設けられ、この屋根パネル５により屋根部分６が形成されている。
【００２０】
屋根部分６の内部は、小屋裏階層Ｂを形成し、例えば収納スペースとされる小屋裏７となっており、また、１階建物ユニット２、蔵ユニット３および２階建物ユニット４によって、建物の躯体部分８が構成されている。
【００２１】
ここで、１、２階建物ユニット２、４は、図４に示すように、四隅に立設された４本の柱１０と、これらの柱１０の上端間同士および下端間同士を結合する各４本の上梁１１、下梁１２を含む骨組み１３を備えてほぼ箱型に形成されている。また、長辺上梁１１間には複数本の天井小梁１４が、長辺下梁１２間には複数本の床根太１５がそれぞれ架けわたされている。そして、このような骨組み１３に、図１に示すように、外壁１６、内壁１７、天井面材１８および床面材１９等が取り付けられるようになっている。
【００２２】
このような１、２階建物ユニット２、４は、高さ寸法がＨとなっており、このＨ寸法は、トラックでの輸送時に輸送制限に抵触しない寸法のほぼ最大限の寸法となっている。そして、この寸法Ｈの１、２階建物ユニット２、４が標準ユニットとされている。
【００２３】
また、蔵ユニット３の構造は、図４に二点鎖線で示すように、前記１、２階建物ユニット２、４の構造とまったく同じであるが、高さ寸法が各建物ユニット２、４の高さ寸法Ｈよりも低いＨ１となっているものである。
そして、このような蔵ユニット３は、前述のように１、２階建物ユニット２、４間に介在され、高さ寸法が低いため、例えば収納スペースとされ、荷物５０等が収納されるようになっている。
【００２４】
このようなユニット式建物１の内部には、居室階層Ａの下端、つまり１階建物ユニット２の下端から小屋裏階層Ｂの上端までにわたってエレベータ用昇降路２０が形成されている。このエレベータ用昇降路２０内には、人を載せ、あるいは荷物５０等を載せて昇降自在な運搬かご２１が設けられ、この運搬かご２１を昇降させる運転駆動装置２２が１階建物ユニット２の下方に設けられている。
そして、エレベータ用昇降路２０、運搬かご２１および運転駆動装置２２等を含んでエレベータ２４が構成されている。
【００２５】
運搬かご２１は、その高さが１、２階建物ユニット２、４の室内高さとほぼ同じ、かつ、一人あるいは二人が乗れる程度の小規模に形成されている。そして、運搬かご２１は蔵ユニット３に面して停止可能となっており、かつ、蔵ユニット３との間で出入り可能となっている。
また、運搬かご２１は、蔵ユニット３に面して停止する際、図１に示すようにかご２１の床２１Ａの高さレベルが蔵ユニット３の床３Ａの高さレベルと一致する場合（上位置）と、図２に示すように、かご２１の床２１Ａの高さレベルが蔵ユニット３の床３Ａの高さレベルより下方、かつ、かご２１の天井の高さレベルが蔵ユニット３の床３Ａの高さレベルより上方となる場合（下位置）との二種類の位置を選択できるようになっている。
【００２６】
このような運搬かご２１の蔵ユニット３に面した一方側の側面には、上下に二分割された上側扉２５と下側扉２６とが設けられている。上側扉２５と下側扉２６とは、それぞれが単独で、あるいは両者２５、２６が同時に開閉できるようになっており、上側扉２５は図２に示すように、かご２１が蔵ユニット３の下位置に停止したとき使用すると好適な蔵用の荷物専用口であり、下側扉２６は図１に示すように、かご２１が蔵ユニット３の上位置に停止したとき使用すると好適な蔵用の荷物専用口である。
そして、上側扉２５と下側扉２６とが同時に開閉したとき、居室階層Ａに対応した高さとなり、居室階層Ａへの出入り口２８となる。
【００２７】
また、運搬かご２１は、前記小屋裏階層Ｂまで昇れるようになっており、このとき、かご２１の上端は、小屋裏７の天井面材７Ｂの高さ位置とほぼ等しくなっている。また、かご２１の床２１Ａの高さレベルは、小屋裏７の床７Ａの高さレベルより低くなっており、このような、運搬かご２１と小屋裏７との接続部には、両者２１、７の床２１Ａ、７Ａとの段差を埋め、かつ、両者２１、７の自由な往来を可能とするための連絡路である階段２３が設けられている。
なお、この階段２３の裏側が２階の室内から見えないように、２階建物ユニット４の天井面材１８に連続する断面Ｌ字状の天井面材１８’が、階段２３の裏側を覆って設けられている。
【００２８】
運搬かご２１には、前記上側扉２５と下側扉２６との他に、階段２３とは反対側の後側に上側扉２５と同じ高さ位置に設けられた小屋裏７用の荷物専用扉２７が設けられている。小屋裏７においては、上側扉２５と下側扉２６とを同時に開閉してもよいし、荷物専用扉２７だけを使用してもよい。
【００２９】
１階建物ユニット２のエレベータ用昇降路２０に臨む部位には、上記全高高さ寸法、すなわち、居室階層用出入り口２８と対応する乗降用ドア３０が設けられ、蔵ユニット３のエレベータ用昇降路２０に臨む部位には、上側扉２５と下側扉２６とに対応する蔵乗降用ドア３１が設けられ、２階建物ユニット４のエレベータ用昇降路２０に臨む部位には、上記乗降用ドア３０と同様の乗降用ドア３２が設けられている。
【００３０】
また、小屋裏７のエレベータ用昇降路２０に臨む部位、かつ、階段２３側には、階段２３の下端から小屋裏７の天井面材７Ｂ近傍までの高さの乗降ドア３３Ａが設けられ、後側には、運搬かご２１が小屋裏７の位置にあるとき、小屋裏７の床７Ａから運搬かご２１の専用扉２７の上端までの高さの開閉扉３３Ｂが設けられている。
【００３１】
このような運搬かご２１の作動は、図３に示すように運転制御装置３４等により行われる。
すなわち、運搬かご２１には、運転制御装置３４に接続されて扉開閉装置３５と操作盤３６とが設けられ、この操作盤３６には、１階建物ユニット２で止まって扉を開く押しボタン３７、蔵ユニット３の上位置で止まって扉を開く押しボタン３８Ａと蔵ユニット３の下位置で止まって扉を開く押しボタン３８Ｂ、２階建物ユニット４で止まって扉を開く押しボタン３９、および小屋裏７で止まって扉を開く押しボタン４０Ａ、４０Ｂが設けられている。
【００３２】
１階用の押しボタン３７および２階用の押しボタン３９を押すと、前記上側扉２５と下側扉２６とが同時に開閉するようになっており、蔵用の押しボタン３８Ａを押すと荷物専用扉としての下側扉２６が開閉し、蔵用の押しボタン３８Ｂを押すと荷物専用扉としての上側扉２５が開閉し、小屋裏７用の押しボタン４０Ａを押すと、前側の上側扉２５と下側扉２６とが同時に開閉するようになっており、４０Ｂを押すと、後側の荷物専用扉２７が開閉するようになっている。
そして、このような押しボタン３７等と、乗降用ドア３０等とは連動して開閉されるようになっており、このような制御はすべて運転制御装置３４で行われるようになっている。
【００３３】
一方、１、２階建物ユニット２、４、蔵ユニット３および小屋裏７には、運転制御装置３４に接続されて、それぞれ、出入り口用操作盤群４０が設けられている。この出入り口用操作盤群４０には、行き先階を示す押しボタン、つまり、１階建物ユニット２用の行先ボタン３７’、蔵ユニット３の上位置用の行先ボタン３８Ａ’、下位置用の行先ボタン３８Ｂ’、２階建物ユニット４用の行先ボタン３９’、および小屋裏７用の行先ボタン４０’が設けられている。
【００３４】
次に、本実施形態の作用を説明する。
ユニット式建物１を建てた後、エレベータ用昇降路２０に運搬かご２１を昇降自在に配置する。
エレベータ２４の作動にあたり、蔵ユニット３に荷物５０を収納する場合、例えば小さくて軽いものであれば、蔵ユニット３の下位置用の行先ボタン３８Ｂ’を押し、その位置で停止したとき、蔵用の押しボタン３８Ｂを押して上側扉２５を開かせる。そして、荷物５０を手にもって、かご２１から蔵ユニット３に収納する。荷物５０が重量物であるときは、蔵ユニット３の上位置用の行先ボタン３８Ａ’を押し、その位置で停止したとき、蔵用の押しボタン３８Ａを押して下側扉２６を開かせる。そして、荷物５０を押し出す等して蔵ユニット３側に移動させる。
【００３５】
小屋裏７に荷物５０を収納する場合、小屋裏７用の行先ボタン４０’を押し、その位置で停止したとき、荷物５０ごと小屋裏７に入りたいときは、前側の押しボタン４０Ａを押して上下の開閉扉２５、２６を開き、階段２３を通って小屋裏７に入る。
荷物５０だけ降ろしたいときは、後側の押しボタン４０Ｂを押し、荷物専用扉２７を開いてそこからその荷物５０を小屋裏７に置けばよい。
また、１、２階建物ユニット２、４に行きたいときは、行先ボタン３７’、３９’を押し、その位置で、押しボタン３７、３９を押して上下の開閉扉２５、２６を開き出入りする。
【００３６】
このような本実施形態によれば、次のような効果がある。
▲１▼蔵ユニット３と小屋裏７とが収納スペースとなっており、また、これらの蔵ユニット３と小屋裏７とは、１、２階建物ユニット２、４と別のユニットとして形成されているので、居住スペースを狭めることなく充分な収納スペースを確保することができる。
【００３７】
▲２▼運搬かご２１は、蔵ユニット３の上位置レベルと下位置レベルとに停止できるとともに、各レベルに対応した扉を有しており、収納物の形状、大きさおよび重量に応じて停止位置を選択できるので、例えば、重量物であれば下側の扉を開いて、その重い荷物を押し出して移動させることができ、これにより、蔵ユニット３への収納作業が容易となる。
【００３８】
▲３▼運搬かご２１は小屋裏７まで上昇できるようになっているので、小屋裏７を収納スペースとしても、運搬かご２１を小屋裏７まで上昇させてから荷物５０を降ろせばよいので、収納作業が容易となる。
▲４▼運搬かご２１の床２１Ａレベルは、小屋裏７の床７Ａのレベルより低くなっているが、両者２１、７の接続部分には階段２３が設けられているので、両者２１、７間の往来が容易となり、これにより、小屋裏７をより有効に利用できるようになる。
▲５▼運搬かご２１の床２１Ａと、小屋裏７の床７Ａとの段差を埋める階段２３が設けられ、この階段２３の裏側が、２階の天井面材７Ｂより低い位置に現れるが、この階段２３の裏側に天井面材１８’が設けられているので、２階の室内から階段２３の裏側が見えることはなく、室内の雰囲気が悪くなることはない。
【００３９】
▲６▼運搬かご２１は、上側扉２５、下側扉２６、および小屋裏用の荷物専用扉２７をそれぞれ有しており、扉２５、２６は、単独であるいは両者同時に開閉できるので、運搬かご２１を、１、２階建物ユニット２、４の位置で停止させたときは、上下扉２５、２６を同時に開けて全高の出入り口とし、例えば蔵ユニット３の上位置で停止させたときは、下側扉２６のみを開けてそこから荷物５０を出し入れでき、蔵ユニット３の下位置で停止させたときは、上側扉２５のみを開けてそこから荷物５０を出し入れでき、小屋裏７の位置で停止させたときは、上下扉２５、２６を同時に開けて全高の出入り口としてそこから荷物５０を出し入れするか、あるいは、荷物専用扉２７だけを開けてそこから出し入れするか、そのときに応じて自在である。従って、状況に応じていずれかの扉を開閉できるので、効率のよい使い方ができ、かつ、収納作業等がはかどる。
【００４０】
なお、本発明は前述の実施形態に限定されるものではなく、本発明の目的を達成できるものであれば、例えば、次に示すような変形形態を含むものである。
すなわち、前記実施形態では、運搬かご２１の停止位置を、蔵の上位置と下位置との二種類から選択できるものとしたが、これに限らず、蔵の上位置だけあるいは下位置だけに停止するようにしてもよい。そして、このようにしても、前記▲１▼、▲３▼等と同様の効果を得ることができる。
【００４１】
また、前記実施形態で、運搬かご２１の蔵用の開閉扉は、上側扉２５と下側扉２６とで形成したが、これに限らず、小屋裏用の荷物専用扉２７の下部に上記下側扉２６と同様の蔵ユニット３用の荷物専用扉を設けてもよい。この場合、この荷物専用扉と対応するドアを蔵ユニット３に形成しておけばよく、このような変形形態では、前後どちらの扉からでも蔵ユニット３に荷物５０の出し入れができるので、高さの低い蔵ユニット３にあっては、一方側から他方側に回らなくてもよくなり、これにより、収納作業等がスムーズとなる。
【００４２】
さらに、前記実施形態で、運搬かご２１と小屋裏７間に階段２３を設け、この階段２３の裏側に天井面材１８’を設けたが、これに限らず、例えば、天井面材１８’を設けず、階段２３をそのままとし、ただその裏側に天井面材１８と同じような模様のクロス等を張って仕上げておいてもよい。
このようにすれば、階段２３の裏側に天井面材１８’を張らずにすむので、作業の手間が少なくてすむ。
【００４３】
さらにまた、前記実施形態で、エレベータの前面の開閉扉を上下側扉２５、２６で形成したが、これに限らず、例えば、上下に２段階で開閉する１枚の開閉扉とし、場合に応じて下側だけ開け、あるいは全開するようにしてもよい。
【００４４】
【発明の効果】
以上に説明したように、本発明のエレベータ付き建物によれば、躯体部分が居室階層と収納階層とを含んで構成されているので、この収納階層を収納スペースとすることができ、これにより、居住面積を狭めることなく充分な収納スペースを確保できる。
また、エレベータの運搬かごと収納階層とが出入り可能なので、収納スペースとなる収納階層への荷物の収納を容易に行えるようになるという効果がある。
【図面の簡単な説明】
【図１】本発明の一実施形態に係るエレベータ付き建物を示し、運搬かごが収納階層の上位置に停止した状態を示す縦断面図である。
【図２】本発明の一実施形態に係るエレベータ付き建物を示し、運搬かごが収納階層の下位置に停止した状態を示す縦断面図である。
【図３】本実施形態に係るエレベータの駆動制御装置を示すブロック図である。
【図４】本実施形態に係る建物ユニットおよび蔵ユニットの骨組み示す全体斜視図である。
【符号の説明】
１  エレベータ付き建物
３  躯体部分および収納階層を構成する蔵ユニット
３Ａ   蔵ユニットの床面（床レベル）
８  躯体部分
２１  運搬かご
２１Ａ  運搬かごの床面（床レベル）
２５  収納階層用の荷物専用口である上側扉
２６  収納階層用の荷物専用口である下側扉
２８  居室階層用の出入り口
３４  運転制御装置
Ａ  居室階層
Ｃ  収納階層
【図１】
0003784481.tif 000002
【図２】
0003784481.tif 000003
【図３】
0003784481.tif 000004
【図４】
0003784481.tif 000005